【手続補正書】
【提出日】平成19年3月14日(2007.3.14)
【手続補正１】
【補正対象書類名】明細書
【補正対象項目名】特許請求の範囲
【補正方法】変更
【補正の内容】
【特許請求の範囲】
【請求項１】
入力されたデジタル信号を鍵情報により暗号化する暗号化手段と、前記暗号化手段により暗号化されたデジタル信号を記録媒体に記録する記録手段とを備えたデジタル信号記録装置であって、
前記暗号化手段は、前記記録媒体上に一つのファイルとして記録されたデジタル信号に対して、複数の鍵情報を用い、前記一つのファイルとして記録されたデジタル信号を構成する複数の部分をそれぞれ異なる鍵情報によって暗号化して記録することを特徴とするデジタル信号記録装置。
【請求項２】
前記複数の鍵情報は、前記デジタル信号を記録する第一の管理情報領域とは異なる、第二の管理情報記録領域に記録することを特徴とする請求項１記載のデジタル信号記録装置。
【請求項３】
前記鍵情報は、所定の時間間隔で更新されることを特徴とする請求項１記載のデジタル信号記録装置。
【請求項４】
前記暗号化手段により暗号化するための鍵情報の有無を、第３の領域に記録することを特徴とする請求項１記載のデジタル信号記録装置。
【請求項５】
入力されたデジタル信号を鍵情報により暗号化するための暗号化手段と、前記暗号化手段により暗号化されたデジタル暗号信号を着脱自在な記録媒体に記録する記録手段とを備えたデジタル信号記録装置において、
前記着脱自在な記録媒体上には、入力されたデジタル信号を記録するための記録領域が予め設定されている第１の実データ記録領域と、前記第１の実データ記録領域に対応した情報を管理するための第１の管理情報記録領域と、第１の記録領域の最後まで記録しても記録が終了しない場合に、新たに設定される第２の実データ記録領域と、前記第２の実データ記録領域に対応した情報を管理するための
第２の管理情報記録領域とを備え、
暗号化のための第１の鍵情報を前記第２の管理情報記録領域に記録することを特徴としたデジタル信号記録装置。
【請求項６】
請求項５に記載のデジタル信号記録装置において、前記第２の実データ記録領域及び対応する前記第２の管理情報記録領域が複数設定された場合には、前記第１の鍵情報は前記第２の管理情報記録領域毎に異なった鍵情報となることを特徴としたデジタル信号記録装置。
【請求項７】
請求項５または６に記載のデジタル信号記録装置において、前記暗号化のための第１の鍵情報が前記第２の管理情報記録領域に記録されているかを判別するための第１の判別情報を、前記第１の管理情報記録領域によって指定される第３の管理情報記録領域に記録することを特徴としたデジタル信号記録装置。
【請求項８】
請求項５乃至７のいずれかに記載のデジタル信号記録装置において、さらに前記第１の管理情報記録領域に暗号化のための第２の鍵情報を記録するとともに、前記第２の鍵情報が前記第１の管理情報記録領域に記録されているかを判別するための第２の判別情報を、前記第３の管理情報記録領域に記録することを特徴としたデジタル信号記録装置。
【請求項９】
請求項５乃至８のいずれかに記載のデジタル信号記録装置において、前記着脱自在の記録媒体は、追記型または書換可能型のディスク状記録媒体であることを特徴としたデジタル信号記録装置。
【請求項１０】
請求項５または６記載のデジタル信号記録装置において、前記着脱自在な記録媒体上のデジタル信号を管理するシステムは、Ｏｐｔｉｃａｌ  Ｓｔｏｒａｇｅ  Ｔｅｃｈｎｏｌｏｇｙ  Ａｓｓｏｃｉａｔｉｏｎが定めるユニバーサル・ディスク・フォーマット（Ｕｎｉｖｅｒｓａｌ  Ｄｉｓｋ Ｆｏｒｍａｔ、以下ＵＤＦと略す）に準拠したファイルシステムであり、前記第１の管理情報記録領域はＦｉｌｅ  Ｅｎｔｒｙ  Ｉｎｆｏｒｍａｔｉｏｎ  Ｃｏｎｔｒｏｌ  Ｂｌｏｃｋ（以下ＦＥＩＣＢと略す）領域であり、前記第２の管理情報記録領域はＡｌｌｏｃａｔｉｏｎ  Ｅｘｔｅｎｄｅｄ  Ｄｅｓｃｒｉｐｔｏｒ（以下ＡＥＤと略す）領域であり、前記第１の鍵情報を前記ＡＥＤ領域内に記録することを特徴としたデジタル信号記録装置。
【請求項１１】
請求項１０記載のデジタル信号記録装置において、前記第１の鍵情報は前記ＡＥＤ領域内のＡｌｌｏｃａｔｉｏｎ  Ｄｅｓｃｒｉｐｔｏｒ（以下、ＡＤと略す）領域に記録することを特徴としたデジタル信号記録装置。
【請求項１２】
請求項７記載のデジタル信号記録装置において、第３の管理情報記録領域は前記ＦＥＩＣＢ領域内のＩｎｆｏｒｍａｔｉｏｎ  Ｃｏｎｔｒｏｌ Ｂｌｏｃｋ  Ｔａｇ（以下ＩＣＢ  Ｔａｇと略す）により指定されるＲｅｓｅｒｖｅｄ領域であり、前記第１の判別情報を前記Ｒｅｓｅｒｖｅｄ領域内に記録することを特徴としたデジタル信号記録装置。
【請求項１３】
請求項８記載のデジタル信号記録装置において、前記第２の鍵情報を前記ＦＥＩＣＢ領域に記録するとともに前記第２の判別情報を前記Ｒｅｓｅｒｖｅｄ領域に記録することを特徴としたデジタル信号記録装置。
【請求項１４】
請求項１３記載のデジタル信号記録装置において、前記第２の鍵情報は前記ＦＥＩＣＢ領域内のＡＤ領域に記録することを特徴としたデジタル信号記録装置。
【請求項１５】
請求項５乃至１４のいずれかに記載のデジタル信号記録装置において、入力されるデジタル信号及びまたは制御信号に含まれる暗号化処理要否のための情報を読取り判別する暗号化処理判別手段を設け、前記暗号化処理判別手段が暗号処理が必要と判別した場合は前記暗号化手段により入力されたデジタル信号を暗号化処理し、前記暗号化処理判別手段が暗号処理が不要と判別した場合には暗号化処理をせず、前記着脱自在な記録媒体にデジタル信号を記録することを特徴としたデジタル信号記録装置。
【請求項１６】
請求項６または１２記載のデジタル信号記録装置において、前記着脱自在の記録媒体に記録されている信号を再生するための再生手段と、前記着脱自在な記録媒体上に記録されている信号の内少なくとも前記第３の管理情報領域に記録されている前記第１の判別情報およびまたは前記第２の判別情報と第１の管理情報領域に記録されている第２の鍵情報およびまたは前記第２の管理情報記録領域に記録されている前記第１の鍵情報とを読取るとともに、前記第１の実データおよびまたは第２の実データのデジタル暗号信号を復号化するための復号化手段とを設け、前記暗号化されたデジタル信号の再生時には前記復号化手段により、復号化されたデジタル信号を出力することを特徴としたデジタル信号記録装置。
【請求項１７】
請求項５乃至１５のいずれかに記載のデジタル信号記録装置により記録されたことを特徴とする記録媒体。
【手続補正２】
【補正対象書類名】明細書
【補正対象項目名】０００７
【補正方法】変更
【補正の内容】
【０００７】
すなわち、暗号が解読された場合は、鍵が一つであればその鍵が取得されると一つのデジタル著作物データファイルの全てが再生できてしまうことになる。
本発明は、デジタル著作物データのコピーまたは改鼠に対しての安全性を高めることを目的とする。
【手続補正３】
【補正対象書類名】明細書
【補正対象項目名】０００８
【補正方法】変更
【補正の内容】
【０００８】
【課題を解決するための手段】
上記目的は、その一例として特許請求の範囲に記載の構成により達成できる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００６７
【補正方法】変更
【補正の内容】
【００６７】
本実施例では、トランスポートストリームを出力するデジタルチューナを内蔵した装置の場合で説明したが、トランスポートストリーム等のデジタル信号の入力はこれに限ったものでないことは言うまでもない。例えば、トランスポートストリーム等のデジタル信号はデジタルの外部入力からのデジタル信号でもよく、さらにはＭＰＥＧエンコーダ等を搭載して、ＭＰＥＧエンコーダからのデジタル信号でもよい。
映像データのようなデータをファイルとして記録する場合には暗号化に使用する鍵情報を所定の間隔で更新し、一つのファイルに複数個の鍵情報を持つようにする。鍵をデジタル著作物データファイルの途中で更新することにより最初の鍵でデジタル著作物データファイルの一部は再生できてしまうことになるが鍵が更新された位置から鍵を同期させて更新した鍵にしないと再生が出来なくなる。これにより、デジタル著作物データの安全性が高まることになる。目的は、記録の途中で任意の時間間隔で追加される複数の記録領域毎に異なる鍵情報にして、暗号化に使用する鍵情報を任意の時間間隔で更新し、一つのファイルに対して複数の鍵情報を持たせるようにすることにより、デジタル著作物データのコピーまたは改鼠に対しての安全性を高めることのできるデジタル信号記録装置を提供することにある。本目的を解決するために本実施例に於いては、以下のような構成とする。入力されたデジタル信号を鍵情報により暗号化するための暗号化手段と、前記暗号化手段により暗号化されたデジタル暗号信号を着脱自在な記録媒体に記録する記録手段とを備えたデジタル信号記録装置において、前記着脱自在な記録媒体上には、入力されたデジタル信号を記録するための記録領域が予め設定されている第１の実データ記録領域と、前記第１の実データ記録領域に対応した情報を管理するための第１の管理情報記録領域と、第１の記録領域の最後まで記録しても記録が終了しない場合に、新たに設定される第２の実データ記録領域と、前記第２の実データ記録領域に対応した情報を管理するための第２の管理情報記録領域とを備え、暗号化のための第１の鍵情報を前記第２の管理情報記録領域に記録することを特徴とした。さらに、前記第２の実データ記録領域及び対応する前記第２の管理情報記録領域が複数設定された場合には、前記第１の鍵情報は前記第２の管理情報記録領域毎に異なった鍵情報となることを特徴とした。これにより、定期的に鍵情報を更新し、一つのファイルに複数の鍵情報を持つことができ、デジタル著作物データのコピーまたは改鼠に対しての安全性を高めることができる。さらに、前記暗号化のための第１の鍵情報が前記第２の管理情報記録領域に記録されているかを判別するための第１の判別情報を、前記第１の管理情報記録領域によって指定される第３の管理情報記録領域に記録することを特徴とした。これにより、鍵情報の有無のための判別情報を判別できない装置では鍵情報を読み出せなくすることができる。さらに、前記第１の管理情報記録領域に暗号化のための第２の鍵情報を記録するとともに、前記第２の鍵情報が前記第１の管理情報記録領域に記録されているかを判別するための第２の判別情報を、前記第３の管理情報記録領域に記録することを特徴とした。これにより、記録容量の小さいデータには一つの鍵情報、大きなデータには複数の鍵情報を記録することができる。さらに、前記着脱自在の記録媒体は、追記型または書換可能型のディスク状記録媒体であることを特徴とした。さらに、前記着脱自在な記録媒体上のデジタル信号を管理するシステムは、Ｏｐｔｉｃａｌ  Ｓｔｏｒａｇｅ  Ｔｅｃｈｎｏｌｏｇｙ  Ａｓｓｏｃｉａｔｉｏｎが定めるユニバーサル・ディスク・フォーマット（Ｕｎｉｖｅｒｓａｌ  Ｄｉｓｋ  Ｆｏｒｍａｔ、以下ＵＤＦと略す）に準拠したファイルシステムであり、前記第１の管理情報記録領域はＦｉｌｅ  Ｅｎｔｒｙ  Ｉｎｆｏｒｍａｔｉｏｎ  Ｃｏｎｔｒｏｌ  Ｂｌｏｃｋ（以下ＦＥＩＣＢと略す）領域であり、前記第２の管理情報記録領域はＡｌｌｏｃａｔｉｏｎ  Ｅｘｔｅｎｄｅｄ  Ｄｅｓｃｒｉｐｔｏｒ（以下ＡＥＤと略す）領域であり、前記第１の鍵情報を前記ＡＥＤ領域に記録することを特徴とした。さらに、前記第１の鍵情報は前記ＡＥＤ領域内のＡｌｌｏｃａｔｉｏｎ  Ｄｅｓｃｒｉｐｔｏｒ（以下、ＡＤと略す）領域に記録することを特徴とした。さらに、第３の管理情報記録領域は前記ＦＥＩＣＢ領域内のＩｎｆｏｒｍａｔｉｏｎ  Ｃｏｎｔｒｏｌ  Ｂｌｏｃｋ  Ｔａｇ（以下ＩＣＢ  Ｔａｇと略す）により指定されるＲｅｓｅｒｖｅｄ領域であり、前記第１の判別情報を前期Ｒｅｓｅｒｖｅｄ領域に記録することを特徴としたデジタル信号記録装置。さらに、前記第２の鍵情報を前記ＦＥＩＣＢ領域に記録するとともに前記第２の判別情報を前期Ｒｅｓｅｒｖｅｄ領域に記録することを特徴としたデジタル信号記録装置。さらに、前記第２の鍵情報は前記ＦＥＩＣＢ領域内のＡＤ領域に記録することを特徴とした。さらに、入力されるデジタル信号及びまたは制御信号に含まれる暗号化処理要否のための情報を読取り判別する暗号化処理判別手段を設け、前記暗号化処理判別手段が暗号処理が必要と判別した場合は前記暗号化手段により入力されたデジタル信号を暗号化処理し、前記暗号化処理判別手段が暗号処理が不要と判別した場合には暗号化処理をせず、前記着脱自在な記録媒体にデジタル信号を記録することを特徴とした。これにより、コピーガード情報が不可された保護する必要のある著作物の記録時のみ暗号化処理を行うことができる。さらに、前記着脱自在の記録媒体に記録されている信号を再生するための再生手段と、前記着脱自在な記録媒体上に記録されている信号の内少なくとも前記第３の管理情報領域に記録されている前記第１の判別情報およびまたは前記第２の判別情報と第１の管理情報領域に記録されている第２の鍵情報およびまたは前記第２の管理情報記録領域に記録されている前記第１の鍵情報とを読取るとともに、前記第１の実データおよびまたは第２の実データのデジタル暗号信号を復号化するための復号化手段とを設け、前記暗号化されたデジタル信号の再生時には前記復号化手段により、復号化されたデジタル信号を出力することを特徴とした。これにより、記録した装置では暗号化されたデータを復号化することができ、再生することができる。さらに、本実施例によるデジタル信号記録装置により記録されたことを特徴とする記録媒体。本実施例により、記録の途中で任意の時間間隔で追加される複数の記録領域毎に異なる鍵情報にして、暗号化に使用する鍵情報を任意の時間間隔で更新し、一つのファイルに対して複数の鍵情報を持たせるようにすることにより、デジタル著作物データのコピーまたは改鼠に対しての安全性を高めることができる。
【手続補正２０】
【補正対象書類名】明細書
【補正対象項目名】００６８
【補正方法】変更
【補正の内容】
【００６８】
【発明の効果】
デジタル著作物データのコピーまたは改鼠に対しての安全性を高めることができる。
【手続補正２１】
【補正対象書類名】明細書
【補正対象項目名】００６９
【補正方法】削除
【補正の内容】